(57)【要約】【課題】屈折率１．０以上の周囲媒質中において、簡易でコストを抑え、且つ広角撮影とズーミング操作を実現できるシステムを提供すること。【解決手段】屈折率１．０よりも大きい周囲媒質中において、ズームレンズと撮像用カメラと、ズームレンズ及びカメラを収納するための防水用のドーム状耐圧窓を有するブリンプと、耐圧窓とズームレンズの間に正の屈折力を有するレンズ群により構成され、周囲媒質とドームポートの接面による負レンズ効果と前記正レンズ群によりアフォーカル系を構成することにより、広角撮影とズーミング操作を可能とする。【選択図】        図１
2004325711.tif 000002
【特許請求の範囲】
【請求項１】
屈折率１．０よりも大きい周囲媒質中において、ズームレンズと撮像用カメラと、ズームレンズ及びカメラを収納するための防水用のドーム状耐圧窓を有するブリンプと、耐圧窓とズームレンズの間に正の屈折力を有するレンズ群により構成され、周囲媒質とドームポートの接面による負レンズ効果と前記正レンズ群によりアフォーカル系を構成することにより、広角撮影とズーミング操作を可能とすることを特徴とする撮像装置。
【請求項２】
前記正レンズ群は着脱可能であることを特徴とする請求項１記載の撮像装置。
【請求項３】
周囲媒質とドームポートの接面での入射換算傾角ω  と正レンズ群の最終面射出換算傾角ω’  の比（アフォーカル倍率Ｍ）が
０．５  ＜  ω’  ／  ω  ＝  Ｍ
であることを特徴とする請求項１、２記載の撮像装置。
【請求項４】
前記正レンズ群は少なくとも１つの正レンズからなり、正レンズ群に含まれる正レンズの屈折率の最大値をＮとすると、
Ｎ  ＜  １．６５ｔ
を満たすことを特徴とする請求項１〜３記載の撮像装置。
【発明の詳細な説明】
【０００１】
【発明の属する技術分野】
本発明は、屈折率が１．０以上の周囲媒質中、特に水中において使用されるドーム状ブリンプに収納されたズームレンズを用いた撮像装置に関するものである。
【０００２】
【従来の技術】
近年、光学機器の発展と人類の飽くなき探求により、陸上での撮影だけでなく水中や、宇宙空間など様々な環境下での撮影が可能となり、我々はそれらの場所に居ずにして未知なる世界を知ることができるようになった。特に水中撮影においては、ダイビングの人気上昇、水中カメラマンの増加などにより撮影機会が増加し、陸上での撮影と同等の機能、操作性、光学性能が要求されている。通常、水中においては普通のカメラ（空気中での使用を想定して設計されたカメラ）を防水用のブリンプに収納して撮影を行う。水中撮影を行う際には、撮影中レンズの交換ができないため、ズーミングが可能なレンズが要求される。またダイナミックな水中景観を撮影するために、広角レンズが要求される。
【０００３】
一般に、防水用ブリンプの耐圧窓（ポート）にはドーム状ポートと平行平板ポートの２種類がある（特開２００２−１１６４９１号公報）。ドーム状ポートを使用する場合は、屈折率１．０以上の周囲媒質とドームポートの接面が負レンズとして作用し、所謂ワイドアタッチメントと同様の効果となり広角撮影が可能である。また耐圧性にも優れている。しかしながら、ズーミングを行うと焦点移動が大きく、ピンボケの状態となる。この時、従来のズームレンズのフォーカス群によるフォーカシングはできず、マクロ群またはフランジバック群を繰り出して焦点補正を行う。無論、繰り出し量に限界があるため、焦点距離の変動範囲も制限される。また光学性能においては、ドームの曲率、ポートの厚みの増加により、周囲媒質とドームポートの接面の負レンズのパワーが増大し、その結果正の像面湾曲が甚大に発生する。逆にドームポートの曲率を緩くすると望遠化してしまうため、広角化を実現するためにはドームポートとレンズの距離を遠ざける必要がある。するとドームポートの径は実用不能なほど巨大化してしまう。
【０００４】
一方、平行平板ポートを使用した場合、ドームポートで発生するような周囲媒質による負レンズ効果はなく、ズーミングが可能となる。しかし、水中では水の屈折率が１．３３で空気の屈折率１．０よりも高いため、水中での焦点距離が伸び、望遠画角となってしまう。また光学性能においては、軸外光線が平行平板射出面において急激に収斂するため、甚大な正のディスト−ションが発生してしまう。
【０００５】
【発明が解決しようとする課題】
このように、屈折率が１．０以上の周囲媒質において撮影を行う場合、陸上での撮影と同等の機能、操作性、光学性能を従来のシステムで実現することは不可能である。本発明は前記の課題を鑑み、屈折率１．０以上の周囲媒質中において、簡易でコストを抑え、且つ広角撮影とズーミング操作を実現できるシステムを提供することを目的とする。
【０００６】
【課題を解決するための手段】
本発明における撮像装置は、
１）屈折率１．０よりも大きい周囲媒質中において、ズームレンズと撮像用カメラと、ズームレンズ及びカメラを収納するための防水用のドーム状耐圧窓を有するブリンプと、耐圧窓とズームレンズの間に正の屈折力を有するレンズ群により構成され、周囲媒質とドームポートの接面による負レンズ効果と前記正レンズ群によりアフォーカル系を構成することにより、広角撮影とズーミング操作を可能とすることを特徴としている。
【０００７】
２）前記正レンズ群は着脱可能であることを特徴としている。
【０００８】
３）周囲媒質とドームポートの接面での入射換算傾角ωと前記正レンズ群の最終面での射出換算傾角ω’の比（アフォーカル倍率Ｍ）が
０．５  ＜  ω’  ／  ω  ＝  Ｍ        ・・・（１）
であることを特徴としている。ただし、換算傾角とは光線と光軸のなす角度に媒質の屈折率を掛けた値である。
【０００９】
４）前記正レンズ群に含まれる正レンズ成分の屈折率の最大値をＮとすると、
Ｎ  ＜  １．６５                    ・・・（２）
を満たすことを特徴としている。
【００１０】
本発明の撮像装置の概略図を図７に示す。屈折率Ｎ０の周囲媒質中において、ドーム状ポートを有するブリンプＩにズームレンズＩＩＩカメラ本体ＩＶが収納されている。ブリンプ内は空気で充填されており、すなわち屈折率は１．０である。前記正レンズ群ＩＩは、ブリンプ内においてドームポートとズームレンズＩＩＩの間に着脱自在に配置されている。ドームポートの媒質側の曲率をｒ１、カメラ側の曲率をｒ２、ドームポートの厚みをｄ１、ドームポートの屈折率をＮ１とする。媒質とドームポートによる負レンズ作用の合成パワーφ１は以下の式で算出される。
【外１】
2004325711.tif 000003
【００１１】
ただし、ドームポートの厚みｄが一様な場合、
ｄ１＝ｒ１−ｒ２      ・・・（５）
となり、前側主点位置と後側主点位置は一致する。
周囲媒質とドームポートの合成系と正レンズ群ＩＩにてアフォーカル系を形成する場合、アフォーカル倍率Ｍを任意に定めると、正レンズ群ＩＩのパワーφ２は、
φ２＝Ｍφ１          ・・・（６）
また、φ１とφ２の主点間距離ｄ２は、
【外２】
2004325711.tif 000004
となる。よって、媒質の屈折率、ドームポートの形状、材質（屈折率）が既知であるなら、アフォーカル倍率Ｍを決定すれば正レンズ群のパワーと主点間距離は一意に決まる。そして、正レンズ群の構成枚数、曲率、屈折率などは収差補正の観点から最適な解が決定される。
【００１２】
条件式（１）はアフォーカル倍率Ｍの下限値を規定している。より広い画界を撮影するためには、より小さいアフォーカル倍率Ｍを設定すればよい。そのためには、式（７）よりφ１の値を小さく、またはｄ２の値を大きくすることが有効である。φ１の値を小さくすることは、周囲媒質とドームポート２の合成負レンズのパワーを強めることとなり、負のディストーション、正の像面湾曲が甚大に発生し十分な光学性能が得られない。またｄ２の値を大きくすると、軸外光線がドームポートにおいてケラレないためにドームポートの径を巨大にしなくてはならない。よって実用可能なシステムを構成するためには、条件式（１）で規定されたアフォーカル倍率Ｍを設定することが好ましい。さらに広い画界での撮影を望む場合は、正レンズ群ＩＩを取り外し広角端で撮影すれば原理的に可能である。
条件式（２）は正レンズ群ＩＩに含まれる正レンズの屈折率の最大値を規定している。レンズ系のペッツバール和は、各レンズのパワーをφｉ、屈折率をＮｉとすると、以下の式で表される。
【外３】
2004325711.tif 000005
【００１３】
ズームレンズＩＩＩにおいてペッツバール和が良好に補正されているとすると、周囲媒質とドームポートにより発生した負のパワーによりペッツバール和の値は負へシフトする。これにより正の像面湾曲が発生し、光学性能が劣化する。よってペッツバール和を正にシフトし、像面湾曲を良好に補正するためには正レンズ群ＩＩに含まれる正レンズの屈折率が条件式（２）を満たすような硝材を選択することが好ましい。
【００１４】
【発明の実施の形態】
ここで、本発明の実施例を添付図面に基づいて説明する。図１は本発明の光学系の断面図の一実施例を示したものである。周囲媒質は水であり、同心状のドームポートＩと接している。ドームポートの材質には可視光線の透過性、耐海水性の高いＰＭＭＡを使用している。ＩＩは前記正レンズ群であり、像側に凸面を向けた正メニスカス２枚で構成されている。ＩＩＩはズームレンズであり、物体側より順にフォーカス群Ｆ、変倍群Ｖ、像面変動補正群Ｃ、結像群Ｒ、色分解プリズムＰにて構成されている。水中での広角撮影ができるように、広角端の焦点距離が５ｍｍという広角ズームレンズを使用している。周囲媒質の屈折率が１．０以上であるため、ドームポートは負レンズとして作用し、正レンズ群ｂとによりアフォーカル系を構成している。アフォーカル倍率Ｍは０．７２であり、条件式（１）を満たしている。次に本発明の実施例１の諸元の値を示す。ｒは曲率半径、ｄは面間隔、ｎはｄ線の屈折率、νはＡｂｂｅ数を示す。また、ｆは焦点距離、ｆｎｏはＦナンバー、２ｗは画角を表している。
【外４】
2004325711.tif 000006
【００１５】
上記第一実施例の広角端、中間及び望遠端における諸収差図を図２、図３、図４に示す。
【００１６】
各収差図より、本発明の水中撮像装置が、各焦点距離において高い結像性能を有していることが分かる。本実施例においては、正レンズ群は正レンズ２枚で構成されているが、正レンズ群に負レンズを配することで、さらに高い結像性能が得られる。
【００１７】
次に、本発明の第２請求項にかかる、正レンズ群ＩＩを取り外した場合の断面図を図５に示す。このときはアフォーカル条件が成り立たなくなるため、広角端のみでの撮影となる。
【００１８】
図６に広角端での諸収差図を示す。画角１１７．６°という非常に広い画界の撮影が可能であるが、負のディストーション、正の像面湾曲が甚大に発生する。
【００１９】
【発明の効果】
以上説明したように、本発明により屈折率が１．０以上の周囲媒質での撮影において、ドームポートの耐圧窓と、ズームレンズの間に正レンズ群を装着するという簡易で低コストな構成により、広角撮影ができ、且つズーミングが可能となる。また、正レンズ群を着脱可能とすることにより、正レンズ群を取り外して、超広角撮影をおこなうことも可能となる。
【図面の簡単な説明】
【図１】本発明実施例の断面図
【図２】本発明実施例の広角端での収差図
【図３】本発明実施例の中間ズームステートでの収差図
【図４】本発明実施例の望遠端での収差図
【図５】正レンズ群を取り外したときの断面図
【図６】正レンズ群を取り外したときの広角端での収差図
【図７】本発明の概略図
【符号の説明】
Ｉ  ドームポート
ＩＩ  正レンズ群
ＩＩＩ  ズームレンズ
Ｆ  フォーカス群
Ｖ  バリエータ
Ｃ  コンペンセータ
Ｒ  リレー群
Ｐ  色分解プリズム
ＳＰ  絞り
【図１】
2004325711.tif 000007
【図２】
2004325711.tif 000008
【図３】
2004325711.tif 000009
【図４】
2004325711.tif 000010
【図５】
2004325711.tif 000011
【図６】
2004325711.tif 000012
【図７】
2004325711.tif 000013